(57)【要約】      （修正有）【課題】施工性に優れ、かつ、降雨時に流入する雨水等を流水しつつ地中へ浸透させることで、環境に配慮しつつ優れた排水性能を有する浸透側溝を提供する。【解決手段】所要高さｈ・幅ｗ・長さ（奥行き）ｌを有して略直方体形状にコンクリート成型された側溝ブロック本体１０において、一部若しくは全部が透水性コンクリートにより構成され、かつ、長さ方向に貫通する略方形水路１１を備える。【選択図】図１
0003182036.tif 000002
【実用新案登録請求の範囲】
【請求項１】
所要高さ・幅・長さ（奥行き）を有して略直方体形状にコンクリート成型された側溝ブロック本体において、一部若しくは全部が透水性コンクリートにより構成され、かつ、長さ方向に貫通する略方形水路を備えて成ることを特徴とする浸透側溝。
【請求項２】
前記側溝ブロック本体における上面に、略方形水路まで貫通する点検口が設けられていることを特徴とする請求項１に記載の浸透側溝。
【請求項３】
前記側溝ブロック本体における正面及び背面の周縁所定箇所に、隣接する側溝同士を接続容易にするための接続構造が備えられていることを特徴とする請求項１または請求項２に記載の浸透側溝。
【請求項４】
前記浸透側溝において、前記略方形水路が、正面視において略正方形状であることを特徴とする請求項１から請求項３のいずれかに記載の浸透側溝。
【考案の詳細な説明】
【技術分野】
【０００１】
本考案は、略方形の水路を備え、雨水等を地中に浸透させて排水する機能を有する側溝に関するものである。
【背景技術】
【０００２】
従来、汚水や雨水の排水用として使用されている側溝は、Ｕ字型水路を備えるものや円形水路・方形水路を備えるものなど、多種多様なものが存在する。そのうち方形水路３１を備えた側溝は、図５に示すように、底面土台３３の上方に逆Ｕ字状３２の側溝を載置する態様のものが一般的に採用されている。そのため、地中への埋設に際し、底面土台３３の敷設と逆Ｕ字側溝３２の載置という二重の手間を要し、施工性に問題があった。
【０００３】
また、現代社会はあらゆる地面がコンクリート等で覆われているため、雨水の地中浸透が妨げられており、降雨時の雨水は側溝等へ流れ込んで排水されている。その際、雨水が地中に浸透されないため、地下水が枯渇状態になりつつあると言われており、地盤沈下との因果関係さらには環境への配慮が問題視されてきている。
【０００４】
【特許文献１】特開平１０−２８０５１４号公報
【特許文献２】特開２００９―１０２９１３号公報
【考案の開示】
【考案が解決しようとする課題】
【０００５】
そこで本考案は、上記問題点に鑑み、方形水路を備える側溝を一体ものとして成型することで、施工性に優れ、かつ、降雨時に流入する雨水等を方形水路を介して流水しつつ地中へ浸透させることで、環境に配慮しつつ優れた排水性能を有する側溝を提供することを目的とするものである。
【課題を解決するための手段】
【０００６】
上記課題を解決するため、請求項１に記載の考案は、所要高さ・幅・長さ（奥行き）を有して略直方体形状にコンクリート成型された側溝ブロック本体において、一部若しくは全部が透水性コンクリートにより構成され、かつ、長さ方向に貫通する略方形水路を備えた構成となっている。
【０００７】
また、請求項２に記載の考案は、前記側溝ブロック本体における上面に、略方形水路まで貫通する点検口が設けられている構成を採用する。
【０００８】
さらに、請求項３に記載の考案は、前記側溝ブロック本体における正面及び背面の周縁所定箇所に、隣接する側溝同士を接続容易にするための接続構造が備えられている構成となっている。
【０００９】
そしてまた、請求項４に記載の考案は、前記浸透側溝において、前記略方形水路が、正面視において略正方形状である構成となっている。
【考案の効果】
【００１０】
本考案にかかる浸透側溝によれば、略方形水路を備える側溝を一体ものとして成型することで、優れた施工性を実現すると共に、水路内に流入した雨水等を地下に浸透させることができるため、環境に配慮しつつ排水性能の向上に優れた効果を奏するものである。
【図面の簡単な説明】
【００１１】
【図１】本考案にかかる浸透側溝の実施形態を示す正面図である。
【図２】本考案にかかる浸透側溝の実施形態を示す側面図である。
【図３】本考案にかかる浸透側溝の実施形態を示す側断面図である。
【図４】本考案にかかる浸透側溝の使用態様を示す側断面図である。
【図５】従来の方形水路を有する側溝の実施形態を示す正面図である。
【考案を実施するための形態】
【００１２】
本考案は、略方形水路１１を備える側溝を一体ものとして成型したことを最大の特徴とする。以下、本考案にかかる浸透側溝１の実施形態を、図面に基づき説明する。
【００１３】
なお、本考案は、下記の実施形態に示した構成・態様に限定されるものではなく、本考案の技術的思想の要旨に逸脱しない範囲で、任意に変更することができるものである。
【００１４】
図１乃至図３は、本考案にかかる浸透側溝１の実施形態を示しており、図１は正面図、図２は側面図、図３は側断面図である。
すなわち、本考案にかかる浸透側溝１は、所要高さｈ・幅ｗ・長さ（奥行き）ｌを有して略直方体形状にコンクリート成型された側溝ブロック本体１０から成り、その内部には長さ方向ｌに貫通する略方形水路１１を備えた構成となっている。
【００１５】
側溝ブロック本体１０の高さｈ・幅ｗ・長さ（奥行き）ｌについては、特に限定はなく、敷設現場や使用態様等に合わせ適宜決定可能であるが、例えば高さｈが９２０ｍｍ、幅ｗが９００ｍｍ、長さ（奥行き）ｌが１０００ｍｍとする態様や、あるいは、高さｈが１８００ｍｍ、幅ｗが１８００ｍｍ、長さ（奥行き）ｌが１０００ｍｍとする態様が考え得る。
【００１６】
該側溝ブロック本体１０の内部に備えられる略方形水路１１は、図面に示すように、正面視において長方形や正方形の略方形状となっており、該側溝ブロック本体１０の長さ方向ｌに貫通して設けられている。なお、該略方形水路１１の形状については、正面視において略方形状であれば得に限定するものではないが、図示されているように、略正方形状とする態様が考え得る。かかる略方形水路１１を略正方形状とすることで、それに伴って側溝ブロック本体１０自体も正面視において略正方形状に成型することができるため、地中への敷設に際し向きを考慮することなく自由に敷設することが可能となって、施工性向上に資すると共に、汎用性にも優れることとなる。
【００１７】
該側溝ブロック本体１０における正面及び背面の周縁所定箇所には、接続構造１２を備えることが望ましい。かかる接続構造としては、例えば、図面に示すように、側溝ブロック本体１０の正面側周縁に凸片１２ａを連続して設けると共に、該側溝ブロック本体１０の背面側周縁に該凸片１２ａが嵌合可能な凹部１２ｂを設ける態様が考え得る。かかる接続構造１２を備えることにより、隣接する浸透側溝１同士を接続する際の位置決めが容易となって、施工性向上に資することとなる。
【００１８】
ところで、該側溝ブロック本体１０の所定箇所には、必要に応じて他の水路や側溝等を接続可能な孔が設けられる。かかる孔を設けることで、そこに接続された他の水路や側溝を流れてきた雨水等の流水を、本考案にかかる浸透側溝１の略方形水路１１内に受け入れ可能な構成となる。
【００１９】
なお、該側溝ブロック本体１０における上面に、略方形水路１１まで貫通する点検口を設ける態様も考え得る。かかる点検口は、すべての側溝ブロック本体１０に必要なものではなく、施工に際し連続して接続敷設される側溝ブロック本体１０のうち、何基置きかに一の側溝ブロック本体１０の上面に設けられればよい。かかる点検口を設けることで、略方形水路１１の点検が可能となって、メンテナンス性の向上に資することとなる。なお、該点検口には、必要に応じて蓋体が備えられる。
【００２０】
該側溝ブロック本体１０は、その一部若しくは全部が透水性コンクリートＡにより構成されている。すなわち、側溝ブロック本体１０における透水性コンクリートＡにより構成された部分以外については、不透水性コンクリートＢにより構成されることとなる。かかる構成を採用することにより、側溝ブロック本体１０の透水性コンクリートＡで構成された部分から、略方形水路１１内に流入した雨水等の地中浸透処理が為されることとなる。
【００２１】
このとき、側溝ブロック本体１０における透水性コンクリートＡの構成範囲については、特に限定するものではなく、例えば、図面に示すように、浸透側溝１同士が接続される側溝ブロック本体１０の正面領域及び背面領域については、強度を要することから、不透水性コンクリートＢにより構成し、その他の部分は全て透水性コンクリートＡにより構成する態様が考え得る。あるいは、図示はしていないが、側溝ブロック本体１０における所定高さ位置より下方領域を透水性コンクリートＡにより構成すると共に、上方領域を不透水性コンクリートＢにより構成する態様なども考え得る。このように、透水性コンクリートＡで構成すべき領域については、雨水等の地中への浸透処理能力などを考慮して、任意に設定される。
【００２２】
以上の通り構成される本考案にかかる浸透側溝１の設置態様については、特に限定はなく、常法の側溝設置態様に従い、掘削された設置場所に浸透側溝１を埋設すれば足りる。すなわち、設置場所を掘削し、掘削箇所へ必要に応じて土台となるコンクリート板を設置したり基礎砕石や砂を敷設し、本考案にかかる浸透側溝１を接続構造１２を介して連続的に敷設し、敷設された浸透側溝１の周囲に必要に応じて砕石等を埋設し、最終的に本考案にかかる浸透側溝１の周囲を土壌等で埋め戻す、といった手順で設置されることとなる。
【００２３】
なお、本考案にかかる浸透側溝１を設置するに際し、接続構造１２を介して複数の浸透側溝１が連続的に敷設されることとなるが、図４に示すように、その両端（起点と終点）には蓋体２０が接続されることとなる。すなわち、該蓋体２０が接続されないと、浸透側溝１の起点側と終点側において、略方形水路１１がそのまま大きく開口した状態で埋設されてしまうこととなるため、該略方形水路１１を閉塞すべく、蓋体２０が被覆されることとなる。
【００２４】
このとき、各浸透側溝１に接続構造１２が設けられている場合に、該蓋体２０にも、該接続構造１２に対応する凸片２２ａ若しくは凹部２２ｂからなる接続構造２２が設けられる。
【００２５】
また、浸透側溝１の一部若しくは全部が透水性コンクリートＡにより構成されるのに合わせて、蓋体２０についてもその一部若しくは全部を透水性コンクリートＡにより構成させる態様が望ましい。
【００２６】
本考案にかかる浸透側溝１について、次に、雨水等の流入・地中浸透状況について説明する。
本考案にかかる浸透側溝１の設置場所については、特に限定はないが、例えば道路や歩道の側端などに配置される。
側溝ブロック本体１０の略方形水路１１内に、他の水路や側溝を介して雨水等Ｗが流れ込む。
流入した雨水等Ｗは、上流から下流方向へ方形水路１１内を流水しつつ、透水性コンクリートＡを介して地中へも浸透が行われる。
このように、本考案にかかる浸透側溝１によれば、略方形水路３内において流水と地中への浸透とが同時に行われることで、雨水等Ｗの排水処理を効率良く行うことが可能となる。
【産業上の利用可能性】
【００２７】
本考案にかかる浸透側溝１は、略方形水路１１を備える従来の側溝とは異なり、その全体が一体成型された一体ものとして構成されていることで、優れた施工性を実現すると共に、ゲリラ豪雨による大量の雨水など、多くの排水処理能力が求められる場面において、流水による排水と地中への浸透による排水とを同時に行うことで、優れた排水処理能力を発揮するものであって、本考案の産業上の利用可能性は大である。
【符号の説明】
【００２８】
１    浸透側溝
１０    側溝ブロック本体
１１    略方形水路
１２    接続構造
１２ａ  凸片
１２ｂ  凹部
２０    蓋体
２２    接続構造
３１    方形水路
３２    逆Ｕ字側溝
３３    底面土台
Ａ    透水性コンクリート
Ｂ    不透水性コンクリート
ｈ    高さ
ｗ    幅
ｌ    長さ（奥行き），長さ方向
【図１】
0003182036.tif 000003
【図２】
0003182036.tif 000004
【図３】
0003182036.tif 000005
【図４】
0003182036.tif 000006
【図５】
0003182036.tif 000007